Podtech/llm-jp-corpus-v4-ja_patent huggingface dataset:
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
混合した水素と二酸化炭素とを含む原料ガスからメタンを製造するメタン製造装置であって、
メタネーション触媒が収容された反応器と、
前記反応器へ前記原料ガスを供給する原料ガス供給ラインと、
前記反応器から出た生成ガスからメタンを分離するメタン分離装置と、
前記メタン分離装置で前記生成ガスから分離された前記メタンを貯える製品ガスタンクと、
前記メタン分離装置と前記原料ガス供給ラインとを接続し、前記メタン分離装置で前記生成ガスから前記メタンが除かれたオフガスを前記原料ガス供給ラインへ送るリサイクルラインとを備え、
前記リサイクルラインが、前記オフガスを貯えるオフガスタンク、前記原料ガス供給ラインへ流入する前記オフガスの流量を所定の値に調整する流量調整器、及び、前記オフガスタンクから出て前記流量調整器へ入る前記オフガスの圧力を所定の値に調整する圧力調整器を含む、
メタン製造装置。
【請求項２】
前記メタン分離装置は、複数の吸着槽を含む圧力変動吸着式ガス分離装置であって、前記複数の吸着槽を通じたリンス流体を前記リサイクルラインへ排出するように構成されている、
請求項１に記載のメタン製造装置。
【請求項３】
前記メタン分離装置と前記製品ガスタンクとを接続する製品ガスラインと、
前記製品ガスラインに設けられた水素分離装置とを更に備え、
前記水素分離装置が、水素透過膜と、前記水素透過膜を介して一側に設けられた前記メタンが通るメタン流路と、前記水素透過膜を介して他側に設けられた前記水素と混合される前の前記二酸化炭素が通る二酸化炭素流路とを有する、
請求項１又は２に記載のメタン製造装置。
【請求項４】
前記反応器の前記触媒の温度を検出する温度センサと、
前記原料ガス供給ラインに設けられた、バッファタンク、前記バッファタンクへ前記水素を供給する水素供給ライン、及び、前記バッファタンクへ前記二酸化炭素を供給する二酸化炭素供給ラインと、
前記二酸化炭素供給ラインに設けられた放出弁と、
検出された前記触媒の温度に基づいて、前記触媒の温度が所定温度以上のときに前記二酸化炭素供給ラインを通る前記二酸化炭素の少なくとも一部が系外へ放出され、前記触媒の温度が前記所定温度未満のときに前記放出弁が閉じられるように、前記放出弁を動作させる放出弁制御装置とを、更に備える、
請求項１〜３のいずれか一項に記載のメタン製造装置。
【請求項５】
前記反応器が、連通ラインで直列的に接続された複数の反応器を含む、
請求項１〜４のいずれか一項に記載のメタン製造装置。
【請求項６】
水素と二酸化炭素とを混合して原料ガスを調製する工程と、
前記原料ガス中の前記水素及び前記二酸化炭素をメタネーション触媒の存在下で反応させてメタン及び水を生成する工程と、
生成した前記メタン及び水、並びに、未反応の前記原料ガスを含む生成ガスから、前記メタンを分離して回収する工程と、
前記生成ガスから前記メタンが除かれたオフガスを、前記オフガスの組成を均一化し、前記オフガスの流量を所定の値に調整し、前記オフガスの圧力を所定の値に調整したうえで、前記原料ガスに混入させる工程と、を含む
メタン製造方法。
【請求項７】
前記メタンを分離する工程が、複数の吸着槽を含む圧力変動吸着式ガス分離装置を用いて前記メタンを分離することを含み、
前記オフガスを前記原料ガスに混入させる工程が、前記複数の吸着槽を通じたリンス流体が混入した前記オフガスを前記原料ガスに混入させることを含む、
請求項６に記載のメタン製造方法。
【請求項８】
前記メタンを分離する工程が、前記生成ガスから分離した前記メタンと前記水素と混合される前の前記二酸化炭素との水素分圧差を利用して、水素透過膜を用いて前記メタンからそれに含まれる水素を除去することを含む、
請求項６又は７に記載のメタン製造方法。
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
飲料を収容する容器であって注ぎ口を上部に有する前記容器に取り付けられるように構成された超音波振動付与装置であって、
前記容器の上部に嵌められるように構成された環状の嵌合部と、
前記容器と前記嵌合部との嵌合によって、前記容器の側面に接する位置に配置されるように構成された超音波発生部と、を備え、
前記容器と前記嵌合部との嵌合によって、上下方向において前記注ぎ口よりも下方に前記超音波発生部が位置し、かつ、上下方向に対して前記容器を傾けながら前記容器内に収容された飲料の一部を前記注ぎ口から注いだ状態において前記容器内の飲料の液面よりも前記超音波発生部が下側に位置するように、前記超音波発生部の位置が前記注ぎ口の付近に規定される
超音波振動付与装置。
【請求項２】
環状の嵌合部と超音波発生部とを備える超音波振動付与装置の使用方法であって、
飲料を収容する容器の上部に前記嵌合部を嵌めて前記容器に前記超音波振動付与装置を取り付けることにより、前記超音波発生部を前記容器の上部に位置する注ぎ口の付近にて前記容器の側面に接するように配置することと、
前記超音波発生部が超音波を発していない状態で、上下方向に対して前記容器を傾けながら前記容器内に収容された飲料の一部を前記注ぎ口から注ぐことと、
前記超音波発生部が超音波を発している状態で、上下方向に対して前記容器を傾けながら前記容器内に収容された飲料の残部を前記注ぎ口から注ぐことと、を含み、
前記容器と前記嵌合部との嵌合によって、前記飲料の一部を前記注ぎ口から注いだ状態において前記容器内の飲料の液面よりも前記超音波発生部が下側に位置するように、前記超音波発生部が配置される
超音波振動付与装置の使用方法。
【手続補正２】
【補正対象書類名】明細書
【補正対象項目名】発明の名称
【補正方法】変更
【補正の内容】
【発明の名称】超音波振動付与装置、および、超音波振動付与装置の使用方法
【手続補正３】
【補正対象書類名】明細書
【補正対象項目名】０００１
【補正方法】変更
【補正の内容】
【０００１】
本発明は、飲料に超音波振動を与えるために用いられる超音波振動付与装置およびその使用方法に関する。
【手続補正４】
【補正対象書類名】明細書
【補正対象項目名】０００４
【補正方法】変更
【補正の内容】
【０００４】
ところで、特許文献１に記載の泡立て装置の使用の際には、上述のように、装置内の流路に発泡飲料が流れる。したがって、泡立て装置の管理のためには、使用の度に装置を洗浄する必要があり、それゆえに、泡立て装置の管理に要する負担が大きい。
なお、上記課題は、発泡飲料を泡立てる装置に限らず、種々の目的で飲料に超音波振動を与える装置において共通する。
本発明は、管理に要する負担を軽減できる超音波振動付与装置およびその使用方法を提供することを目的とする。
【手続補正書】
【提出日】令和3年3月5日(2021.3.5)
【手続補正１】
【補正対象書類名】特許請求の範囲
【補正対象項目名】請求項１
【補正方法】変更
【補正の内容】
【請求項１】
中空の構造物を吊り上げて移動する吊り具であって、
前記構造物の内側に配置される本体と、
前記本体と前記構造物との間に配置され、前記構造物の内面を押圧する押圧面を備えた複数の先端部品と、
前記複数の先端部品と前記本体を着脱自在に締結する締結部品と、
前記本体または前記先端部品に形成された吊り上げ部と、
を有する吊り具。
【手続補正２】
【補正対象書類名】図面
【補正対象項目名】図１
【補正方法】変更
【補正の内容】
【図１】
2019156571.tif 000001
【手続補正書】
【提出日】令和3年1月29日(2021.1.29)
【手続補正１】
【補正対象書類名】特許請求の範囲
【補正対象項目名】請求項１
【補正方法】変更
【補正の内容】
【請求項１】
バックドアを有する車両の車両後部構造において、
前記バックドアの上縁に沿って車幅方向に延びてルーフパネルの下側に接合されるクロスメンバと、
前記ルーフパネルの側縁に接合されるサイドボディと、
前記クロスメンバの後側に車幅方向にわたって接合され後方へ突出していて雨水を案内するリアドリップレールとを備え、
前記サイドボディは、
車両の側面を形成する縦壁領域と、
前記縦壁領域の上縁から前記ルーフパネルの下側へ延びるルーフサイド領域と、
前記ルーフサイド領域の後端であり前記クロスメンバの延長上に位置する範囲を切り欠いた開口領域とを有し、
当該車両後部構造はさらに、前記開口領域を塞ぐよう前記サイドボディ、前記クロスメンバおよび前記リアドリップレールにわたって接合される第１エクステンション部材を備え、
前記第１エクステンション部材は、前記クロスメンバから連続して前記サイドボディに形成されるバックピラーの上端となることを特徴とする車両後部構造。
【手続補正書】
【提出日】令和3年1月29日(2021.1.29)
【手続補正１】
【補正対象書類名】明細書
【補正対象項目名】００２９
【補正方法】変更
【補正の内容】
【００２９】
図１（ｂ）は、図１（ａ）のルーフパネル１０２を省略した図である。車両後部構造１００は、左右のバックピラー１０６、１０８と、バックピラー１０６、１０８をつなぐルーフバックメンバ１１０を含んでいる。バックドア用開口Ｅ１は、これらバックピラー１０６、１０８とルーフバックメンバ１１０によって形成されている。
【手続補正２】
【補正対象書類名】明細書
【補正対象項目名】００４０
【補正方法】変更
【補正の内容】
【００４０】
図３（ａ）に示したように、ドリップレールリア１０４ａは、ルーフバックメンバ１１０よりも車幅方向外側にまで延びている。ピラー延長領域１０６ｂは、ルーフバックメンバ１１０に接合すると共にドリップレールリア１０４ａの前縁１２０にも接合する。そして、リンフォース１１２は、ルーフバックメンバ１１０とピラー延長領域１０６ｂとの境界である接合箇所１１３を車幅方向にまたぎつつ、ルーフバックメンバ１１０およびピラー延長領域１０６ｂとドリップレールリア１０４ａとに接合されている。特に、リンフォース１１２は、連結部材１１２ｃが接合箇所１１３を車幅方向にまたいでいることで、ルーフバックメンバ１１０とピラー延長領域１０６ｂとの接続を効率よく補強することが可能になっている。
【手続補正３】
【補正対象書類名】明細書
【補正対象項目名】００４７
【補正方法】変更
【補正の内容】
【００４７】
上記のランプ固定ブラケット１２６の接合によっても、ルーフバックメンバ１１０の剛性は向上する。そして、ルーフバックリンフォース１１２ａ、１１４ａをランプ固定ブラケット１２６の車幅方向両側に設けることで、ランプ固定ブラケット１２６とルーフバックリンフォース１１２ａ、１１４ａとが相乗して働き、ルーフバックメンバ１１０の剛性をより効率よく向上させることが可能になる。また、ランプ固定ブラケット１２６のルームランプに対する支持剛性を両脇のルーフバックリンフォース１１２ａ、１１４ａによって高め、ルームランプの共振を防ぐことも可能になる。
【手続補正書】
【提出日】令和3年3月1日(2021.3.1)
【手続補正１】
【補正対象書類名】明細書
【補正対象項目名】００１８
【補正方法】変更
【補正の内容】
【００１８】
【図１】図１は、本発明の第１の実施形態に係る電気剥離型粘着シートの概略図である。
【図２】図２（ａ）は本発明の第１の実施形態に係る電気剥離型粘着シートの一例の斜視図であり、（ｂ）は本発明の第１の実施形態に係る電気剥離型粘着シートの他の例の斜視図である。
【図３】図３は、本発明の第１の実施形態に係る接合体の分解図である。
【図４】図４は、図３の点線部の拡大図である。
【図５】図５は、本発明の第１の実施形態の変形例における図３の点線部の拡大図である。
【図６】図６は、本発明の第１の実施形態に係る接合体の電気剥離の際の概略図である。
【図７】図７は、本発明の第２の実施形態に係る電気剥離型粘着シートの概略図である。
【図８】図８は、本発明の第２の実施形態に係る接合体の概略図である。
【図９】図９は、図８の点線部の拡大図である。
【図１０】図１０は、本発明の第２の実施形態の変形例における図８の点線部の拡大図である。
【図１１】図１１は、本発明の第２の実施形態に係る接合体の電気剥離の際の概略図である。
【手続補正２】
【補正対象書類名】明細書
【補正対象項目名】００３９
【補正方法】変更
【補正の内容】
【００３９】
アンモニウム系カチオンとしては、例えば、テトラエチルアンモニウムカチオン、テトラブチルアンモニウムカチオン、メチルトリオクチルアンモニウムカチオン、テトラデシルトリヘキシルアンモニウムカチオン、グリシジルトリメチルアンモニウムカチオン、およびトリメチルアミノエチルアクリレートカチオンが挙げられる。
【手続補正３】
【補正対象書類名】明細書
【補正対象項目名】００６９
【補正方法】変更
【補正の内容】
【００６９】
第２の実施形態の粘着シート１１０における延出部１１４は、第２の粘着剤層１１３及び通電用基材１１２が、電気剥離型粘着シート１１０の面広がり方向において第１の粘着剤層１１１よりも伸びて延出する部分である。延出部１１４の寸法や形状は特に限定されるものではなく、例えば、第１の実施形態の第１の延出部１４及び第２の延出部１５について説明したのと同様に、テープ状の粘着シートにおいて先端部に延出部１１４が設けられているような構成であってもよく、シート状の粘着シートにおいて延出部１１４が突出するように設けられている構成であってもよい。
【手続補正４】
【補正対象書類名】明細書
【補正対象項目名】００７０
【補正方法】変更
【補正の内容】
【００７０】
＜接合体、被着体の接合及び剥離方法＞
次に、第２の実施形態の粘着シート１１０を用いて得られる接合体、並びに、第２の実施形態の粘着シート１１０を用いた被着体の接合及び剥離方法について説明する。
図８は、本発明の第２の実施形態に係る接合体１４０（以下、単に「本実施形態の接合体１４０」や「接合体１４０」ともいう）の概略図であり、図９は、図８の点線部の拡大図である。
【手続補正書】
【提出日】令和3年3月1日(2021.3.1)
【手続補正１】
【補正対象書類名】明細書
【補正対象項目名】００３８
【補正方法】変更
【補正の内容】
【００３８】
アンモニウム系カチオンとしては、例えば、テトラエチルアンモニウムカチオン、テトラブチルアンモニウムカチオン、メチルトリオクチルアンモニウムカチオン、テトラデシルトリヘキシルアンモニウムカチオン、グリシジルトリメチルアンモニウムカチオン、およびトリメチルアミノエチルアクリレートカチオンが挙げられる。
【手続補正２】
【補正対象書類名】明細書
【補正対象項目名】００４６
【補正方法】変更
【補正の内容】
【００４６】
通電用基材１１２は、少なくとも片方の面において導電性を有する限り特に限定はされない。例えば図１に示すように導電層１１２ａと基材層１１２ｂとを含む積層構造であってもよく、金属箔などからなる単層構造であってもよい。
【手続補正３】
【補正対象書類名】明細書
【補正対象項目名】００５９
【補正方法】変更
【補正の内容】
【００５９】
粘着シート材を切断して粘着シート１１０を製造する場合には、粘着シート１１０の形状は、単一の連結部１１０ｂから複数の被連結部１１０ａが延出するような形状とすることが好ましく、単一の連結部１１０ｂから複数の被連結部１１０ａが同一方向に延出するような形状、即ち図１に示すような櫛形とすることが好ましい。このような場合には、２つの櫛形の粘着シート１１０が噛みあったような形で得られるように粘着シート材を切断して粘着シート１１０を製造することで、粘着シート材の廃棄部分を減らすことができ、粘着シート１１０の製造コストを減少することができるためである。
【手続補正４】
【補正対象書類名】明細書
【補正対象項目名】００７６
【補正方法】変更
【補正の内容】
【００７６】
＜接合体＞
接合体３４０は、第１の被着体３２０と第２の被着体３３０とが複数の粘着シート３１０によって接合された接合体である。本実施形態においては第１の被着体３２０と第２の被着体３３０のいずれもが導電性であり、いずれも第１の実施形態における第１の被着体１２０と同様のものを用いることができる。
本実施形態の接合体３４０において、第１の被着体３２０と第２の被着体３３０との接合に用いる粘着シート３１０の数は複数であれば特に限定されない。複数の粘着シート３１０により接合体を形成することにより奏する効果については、第２の実施形態において説明したものと同様である。
また、第３の実施形態の接合体３４０における粘着シート３１０は、基材を有さない単層構造であるため非常に薄く、したがって、第３の実施形態の接合体３４０の小型化の観点から特に優れる。
【手続補正５】
【補正対象書類名】明細書
【補正対象項目名】００７９
【補正方法】変更
【補正の内容】
【００７９】
［第４の実施形態］
図８（ａ）は、本発明の第４の実施形態に係る接合体４４０（以下、単に「本実施形態の接合体４４０」や「接合体４４０」ともいう）の側面図であり、図８（ｂ）は本実施形態の接合体４４０の斜視図である。図９は、本実施形態の接合体４４０の分解斜視図である。
本実施形態の接合体４４０は、第１の被着体４２０と第２の被着体４３０とが複数の電気剥離型粘着シート４１０によって接合された接合体であって、粘着シート４１０は、導電性基材４１２と、導電性基材４１２上に形成された電気剥離用粘着剤からなる第１の粘着剤層４１１と、導電性基材の第１の粘着剤層４１１とは反対側の面上に形成された導電性粘着剤からなる第２の粘着剤層４１３とを備える粘着シートであって、複数の粘着シート４１０の第１の粘着剤層４１１はそれぞれ第１の被着体４２０に貼着しており、第２の粘着剤層４１３はそれぞれ第２の被着体４３０に貼着しており、第１の被着体４２０は導電性であり、第２の被着体４３０は導電性を有する導電部４３１を備え、複数の粘着シート４１０のそれぞれの第２の粘着剤層４１３が、導電部４３１により電気的に接続されている。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
生理学的に許容される媒体中に、
ペパーミントの茎を水アルコール溶媒の混合物で抽出し、グリセロールによりエステル化することにより得られるペパーミント抽出物（Ｉ）であって、少なくとも式（Ｉ）の化合物を含むペパーミント抽出物（Ｉ）、および
【化１】
2019156819.tif 000001
ペパーミントの茎を水アルコール溶媒の混合物で抽出して得られるペパーミント抽出物（ＩＩ）であって、少なくとも式（ＩＩ）の化合物を含むペパーミント抽出物（ＩＩ）
【化２】
2019156819.tif 000002
を含み、前記抽出物（Ｉ）／（ＩＩ）の重量比が０．５から２の間であることを特徴とする、化粧品または皮膚科学的組成物。
【請求項２】
ペパーミント抽出物（ＩＩ）が、場合により水と混合させた、一価アルコールおよび／またはグリコールによるアルコール抽出により得られることを特徴とする、請求項１に記載の組成物。
【請求項３】
ペパーミントの茎を水アルコール溶媒の混合物で抽出し、オクチルアルコールによりエステル化することで得られるペパーミント抽出物（ＩＩＩ）であって、少なくとも式（ＩＩＩ）の化合物を含む、ペパーミント抽出物（ＩＩＩ）をさらに含むことを特徴とする、請求項１または２に記載の組成物。
【化３】
2019156819.tif 000003
【請求項４】
局所塗布に適することを特徴とする、請求項１〜３のいずれか一項に記載の組成物。
【請求項５】
前記抽出物（Ｉ）、（ＩＩ）および場合により（ＩＩＩ）の混合物が、組成物の全重量に対して、０．０１重量％〜１０重量％の範囲の含量を示すことを特徴とする、請求項１〜４のいずれか一項に記載の組成物。
【請求項６】
抗酸化効果のための請求項１〜５のいずれか一項に記載の組成物の化粧的使用。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
アクリル樹脂（Ａ）と、粘着付与剤（Ｂ）を含有し、前記アクリル樹脂（Ａ）および前記粘着付与剤（Ｂ）の含有量の合計を１００質量部としたときに、前記アクリル樹脂（Ａ）を５０〜９９．５質量部、前記粘着付与剤（Ｂ）を０．５〜５０質量部含み、かつ、前記アクリル樹脂（Ａ）が、下記（Ａ−１）および（Ａ−２）を満たし、かつ、前記粘着付与剤（Ｂ）が、下記（Ｂ−１）〜（Ｂ−４）を満たす、アクリル粘着剤組成物。
（Ａ−１）炭素数が１から１２のアルキル基を有する（メタ）アクリレートと、水酸基を含有する（メタ）アクリレートを含むモノマーを反応させて得られる。
（Ａ−２）示差走査熱量計（ＤＳＣ）で測定したガラス転移温度（Ｔｇ）が−８０〜０℃の範囲にある。
（Ｂ−１）ゲルパーミエーションクロマトグラフィー（ＧＰＣ）で測定した数平均分子量（Ｍｎ）が３００〜１５００の範囲にある。
（Ｂ−２）ＪＩＳ  Ｋ２２０７に準拠して測定される軟化点が３０〜１８０℃の範囲にある。
（Ｂ−３）示差走査熱量計（ＤＳＣ）で測定したガラス転移温度（Ｔｇ）が０〜１００℃の範囲にある。
（Ｂ−４）イソプロペニルトルエンに由来する構造単位を２０モル％以上含有する。
【請求項２】
前記粘着付与剤（Ｂ）が、下記（Ｂ−５）をさらに満たす、請求項１に記載のアクリル粘着剤組成物。
（Ｂ−５）不飽和脂肪族化合物に由来する構造単位を１〜６０モル％の範囲で含有する。
【請求項３】
架橋剤（Ｃ）をさらに含有する、請求項１または２に記載のアクリル粘着剤組成物。
【請求項４】
請求項１〜３のいずれか一項に記載のアクリル粘着剤組成物を含むアクリル粘着性加工品。
【請求項５】
テープ、ラベル、シートあるいは両面テープである、請求項４に記載のアクリル粘着性加工品。
【手続補正２】
【補正対象書類名】明細書
【補正対象項目名】０００９
【補正方法】変更
【補正の内容】
【０００９】
本発明者らは、鋭意検討した結果、以下の構成により上記課題を解決しうることを見出した。すなわち本発明は以下の［１］〜［５］に関する。
［１］アクリル樹脂（Ａ）と、粘着付与剤（Ｂ）を含有し、前記アクリル樹脂（Ａ）および前記粘着付与剤（Ｂ）の含有量の合計を１００質量部としたときに、前記アクリル樹脂（Ａ）を５０〜９９．５質量部、前記粘着付与剤（Ｂ）を０．５〜５０質量部含み、かつ、前記アクリル樹脂（Ａ）が、下記（Ａ−１）および（Ａ−２）を満たし、かつ、前記粘着付与剤（Ｂ）が、下記（Ｂ−１）〜（Ｂ−４）を満たす、アクリル粘着剤組成物。
（Ａ−１）炭素数が１から１２のアルキル基を有する（メタ）アクリレートと、水酸基を含有する（メタ）アクリレートを含むモノマーを反応させて得られる。
（Ａ−２）示差走査熱量計（ＤＳＣ）で測定したガラス転移温度（Ｔｇ）が−８０〜０℃の範囲にある。
（Ｂ−１）ゲルパーミエーションクロマトグラフィー（ＧＰＣ）で測定した数平均分子量（Ｍｎ）が３００〜１５００の範囲にある。
（Ｂ−２）ＪＩＳ  Ｋ２２０７に準拠して測定される軟化点が３０〜１８０℃の範囲にある。
（Ｂ−３）示差走査熱量計（ＤＳＣ）で測定したガラス転移温度（Ｔｇ）が０〜１００℃の範囲にある。
（Ｂ−４）イソプロペニルトルエンに由来する構造単位を２０モル％以上含有する。
［２］前記粘着付与剤（Ｂ）が、下記（Ｂ−５）を満たす、［１］に記載のアクリル粘着剤組成物。
（Ｂ−５）不飽和脂肪族化合物に由来する構造単位を１〜６０モル％の範囲で含有する。
［３］架橋剤（Ｃ）を含有する、［１］または［２］に記載のアクリル粘着剤組成物。
［４］［１］〜［３］のいずれか一つに記載のアクリル粘着剤組成物を含むアクリル粘着性加工品。
［５］テープ、ラベル、シートあるいは両面テープである、［４］に記載のアクリル粘着性加工品。
【手続補正３】
【補正対象書類名】明細書
【補正対象項目名】００１２
【補正方法】変更
【補正の内容】
【００１２】
＜アクリル粘着剤組成物＞
アクリル樹脂（Ａ）および粘着付与剤（Ｂ）の含有量の合計を１００質量部としたときに、前記アクリル樹脂（Ａ）を５０〜９９．５質量部、好ましくは７０〜９８質量部含み、より好ましくは８０〜９５質量部含み、粘着付与剤（Ｂ）を０．５〜５０質量部含み、好ましくは２〜３０質量部含み、より好ましくは５〜２０質量部含む。粘着付与剤（Ｂ）の含有量が上記下限値以上であることで、得られる組成物の粘着力に優れ、粘着付与剤（Ｂ）の含有量が上記上限値以下であることで、透明性において好ましい。
【手続補正４】
【補正対象書類名】明細書
【補正対象項目名】００２３
【補正方法】変更
【補正の内容】
【００２３】
＜粘着付与剤（Ｂ）＞
粘着付与剤（Ｂ）は下記要件（Ｂ−１）〜（Ｂ−４）を満たす。
【手続補正５】
【補正対象書類名】明細書
【補正対象項目名】００２９
【補正方法】変更
【補正の内容】
【００２９】
粘着付与剤（Ｂ）は好ましくはさらに下記要件（Ｂ−５）を満たす。
【手続補正６】
【補正対象書類名】明細書
【補正対象項目名】００４３
【補正方法】変更
【補正の内容】
【００４３】
＜アクリル粘着剤組成物の作製方法＞
上記アクリル粘着剤組成物の製造方法は特には限定されず、各種公知の方法で配合される。上記アクリル粘着剤組成物は、アクリル樹脂（Ａ）と、粘着付与剤（Ｂ）を含有し、前記アクリル樹脂（Ａ）および前記粘着付与剤（Ｂ）の含有量の合計を１００質量部としたときに、前記アクリル樹脂（Ａ）を５０〜９９．５質量部、前記粘着付与剤（Ｂ）を０．５〜５０質量部の割合で配合される。好ましくは２〜３０質量部含み、より好ましくは５〜２０質量部含む。粘着付与剤（Ｂ）の含有量が上記下限値以上であることで、得られる組成物の粘着力に優れ、粘着付与剤（Ｂ）の含有量が上記上限値以下であることで、透明性において好ましい。
【手続補正７】
【補正対象書類名】明細書
【補正対象項目名】００５８
【補正方法】変更
【補正の内容】
【００５８】
粘着付与剤（Ｂ）に該当しない粘着付与剤であるＢ５〜Ｂ７として、以下の粘着付与剤を使用した。
Ｂ５：荒川化学工業株式会社製ＫＥ−１００（ロジン系粘着付与剤）
Ｂ６：荒川化学工業株式会社製Ｄ−１３５（ロジン系粘着付与剤）
Ｂ７：荒川化学工業株式会社製Ｐ−１００（水添石油樹脂）
【手続補正書】
【提出日】令和3年7月19日(2021.7.19)
【手続補正１】
【補正対象書類名】特許請求の範囲
【補正対象項目名】請求項１
【補正方法】変更
【補正の内容】
【請求項１】
遊技区間として、通常区間と有利区間とを有し、
通常区間では、所定の遊技状態となる場合を有しておらず、
有利区間では、所定の遊技状態となる場合を有しており、
有利区間における総差数に関する値を記憶可能な所定の記憶手段を備え、
有利区間の所定の遊技において、所定の遊技における差数に関する値（「差数に関する値」とは、１遊技における遊技媒体の付与数から遊技媒体のベット数を減算した値とする。以下同じ。）と所定の記憶手段に記憶されている総差数に関する値とを加算した結果が正の値のときは、所定の遊技における差数に関する値に基づいて所定の記憶手段に記憶されている総差数に関する値を更新可能とし、
有利区間の特定の遊技において、特定の遊技における差数に関する値と所定の記憶手段に記憶されている総差数に関する値とを加算した結果が負の値のときは、所定の記憶手段に規定値を記憶可能とし、
有利区間における総差数に関する値が有利区間の終了条件を満たした場合は、有利区間を終了可能とし、
管理者モードにおいて、音量の段階（以下、「管理者モードの音量の段階」という。）を設定可能とし、
遊技待機中において、遊技者により音量の段階（以下、「遊技者モードの音量の段階」という。）を設定可能とし、
管理者モードの音量の段階を第１の段階に設定した状況下で、遊技者モードの音量の段階を遊技者が選択し得る最大の音量の段階とした場合と、管理者モードの音量の段階を第２の段階に設定した状況下で、遊技者モードの音量の段階を遊技者が選択し得る最大の音量の段階とした場合とでは、所定の演出音が異なる音量で出力される
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
遊技区間として、通常区間と有利区間とを有し、
通常区間では、所定の遊技状態となる場合を有しておらず、
有利区間では、所定の遊技状態となる場合を有しており、
有利区間における総差数に関する値を記憶可能な所定の記憶手段（差数カウンタ）を備え、
有利区間の所定の遊技において、所定の遊技における差数に関する値（「差数に関する値」とは、１遊技における遊技媒体の付与数から遊技媒体のベット数を減算した値とする。以下同じ。）と所定の記憶手段に記憶されている総差数に関する値とを加算した結果が正の値のときは、所定の遊技における差数に関する値に基づいて所定の記憶手段に記憶されている総差数に関する値を更新可能とし、
有利区間の特定の遊技において、特定の遊技における差数に関する値と所定の記憶手段に記憶されている総差数に関する値とを加算した結果が負の値のときは、所定の記憶手段に規定値を記憶可能とし、
有利区間における総差数に関する値が有利区間の終了条件を満たした場合は、有利区間を終了可能とし、
管理者モードにおいて、音量の段階（以下、「管理者モードの音量の段階」という。）を設定可能とし、
遊技待機中において、遊技者により音量の段階（以下、「遊技者モードの音量の段階」という。）を設定可能とし、
管理者モードの音量の段階を第１の段階（図１６２（Ｃ）中、「小さい」）に設定した状況下で、遊技者モードの音量の段階を遊技者が選択し得る最大の音量の段階（図１６２（Ｃ）中、「音量５」）とした場合（図１６２（Ｃ）中、音量「４０」）と、管理者モードの音量の段階を第２の段階（図１６２（Ｃ）中、「大きい」）に設定した状況下で、遊技者モードの音量の段階を遊技者が選択し得る最大の音量の段階とした場合（図１６２（Ｃ）中、音量「１００」）とでは、所定の演出音が異なる音量で出力される
ことを特徴とする。
【手続補正書】
【提出日】令和3年10月19日(2021.10.19)
【手続補正１】
【補正対象書類名】特許請求の範囲
【補正対象項目名】請求項１
【補正方法】変更
【補正の内容】
【請求項１】
第１のリールと、
第２のリールと、
第３のリールとを有し、
各リールをそれぞれの停止予定位置で停止させ、特定の図柄組合せを停止させる特定のリール演出を実行可能とし、
特定のリール演出を実行するときは、第１記憶手段に第１のリールの停止予定位置に対応した情報を記憶可能とし、第２記憶手段に第２のリールの停止予定位置に対応した情報を記憶可能とし、第３記憶手段に第３のリールの停止予定位置に対応した情報を記憶可能とし、
特定のリール演出を実行しているときに、第１の条件を満たしていない場合は、第１のリールが第１のリールの停止予定位置に停止可能な位置に到達しても、第１のリールを停止させず、
特定のリール演出を実行しているときに、第２の条件を満たしていない場合は、第２のリールが第２のリールの停止予定位置に停止可能な位置に到達しても、第２のリールを停止させず、
特定のリール演出の実行しているときに、第３の条件を満たしていない場合は、第３のリールが第３のリールの停止予定位置に停止可能な位置に到達しても、第３のリールを停止させず、
内部抽せん手段により所定の結果を決定した遊技では、所定の図柄組合せを停止可能であり、
所定の遊技区間では、所定の結果を決定したときにストップスイッチの有利な操作態様を報知しない第１遊技状態と、所定の結果を決定したときにストップスイッチの有利な操作態様を報知可能な第２遊技状態と、を設定可能であり、
第１遊技状態にて所定の条件を満たすと、その後第２遊技状態を設定可能であり、
所定の遊技区間であり、かつ第２遊技状態であって、第１規定数でも第２規定数でも遊技を実行可能な状況において第１規定数で遊技を実行すると、所定の遊技区間における差数に関する第１の情報を更新可能とし、
所定の遊技区間であり、かつ第２遊技状態であって、第１規定数でも第２規定数でも遊技を実行可能な状況において第１規定数で遊技を実行すると、第２遊技状態の終了条件に関する第２の情報を更新可能とし、
所定の遊技区間であり、かつ第２遊技状態であって、第１規定数でも第２規定数でも遊技を実行可能な状況において第２規定数で遊技を実行すると、所定の遊技区間における差数に関する第１の情報を更新可能とし、
所定の遊技区間であり、かつ第２遊技状態であって、第１規定数でも第２規定数でも遊技を実行可能な状況において第２規定数で遊技を実行すると、第２遊技状態の終了条件に関する第２の情報を更新しないよう構成されている
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
本発明は、
第１のリール（左リール３１）と、
第２のリール（中リール３１）と、
第３のリール（右リール３１）とを有し、
各リールをそれぞれの停止予定位置で停止させ、特定の図柄組合せ（たとえば図１４４中、中段「ＢＡＲ」揃い）を停止させる特定のリール演出（図１４３の待機演出）を実行可能とし、
特定のリール演出を実行するときは、第１記憶手段（図１３５中、アドレス「Ｆ０５４（Ｈ）」の「第１リール図柄番号（停止位置用）」）に第１のリールの停止予定位置に対応した情報を記憶可能とし、第２記憶手段（図１３６中、アドレス「Ｆ０５Ｆ（Ｈ）」の「第２リール図柄番号（停止位置用）」）に第２のリールの停止予定位置に対応した情報を記憶可能とし、第３記憶手段（図１３７中、アドレス「Ｆ０６Ａ（Ｈ）」の「第３リール図柄番号（停止位置用）」）に第３のリールの停止予定位置に対応した情報を記憶可能とし、
特定のリール演出を実行しているときに、第１の条件を満たしていない場合（図１４５中、左リール停止図柄位置検索待機時間が「０」でない場合）は、第１のリールが第１のリールの停止予定位置に停止可能な位置に到達しても、第１のリールを停止させず、
特定のリール演出を実行しているときに、第２の条件を満たしていない場合（図１４５中、中リール停止図柄位置検索待機時間が「０」でない場合）は、第２のリールが第２のリールの停止予定位置に停止可能な位置に到達しても、第２のリールを停止させず、
特定のリール演出の実行しているときに、第３の条件を満たしていない場合（図１４５中、右リール停止図柄位置検索待機時間が「０」でない場合）は、第３のリールが第３のリールの停止予定位置に停止可能な位置に到達しても、第３のリールを停止させず、
内部抽せん手段（役抽選手段６１）により所定の結果を決定した遊技（図１２６〜図１２７中、当選番号「１０」（小役Ａ１）〜当選番号「２１」（小役Ｂ６）に当選した遊技）では、所定の図柄組合せ（１５枚の払出しとなる図柄組合せ）を停止可能であり、
所定の遊技区間（有利区間）では、所定の結果を決定したときにストップスイッチ（４２）の有利な操作態様（１５枚役を入賞させる押し順）を報知しない第１遊技状態（非ＡＴ）と、所定の結果を決定したときにストップスイッチの有利な操作態様を報知可能な第２遊技状態（ＡＴ）と、を設定可能であり、
第１遊技状態にて所定の条件（ＡＴ当選）を満たすと、その後第２遊技状態を設定可能であり、
所定の遊技区間であり、かつ第２遊技状態であって、第１規定数（規定数３枚）でも第２規定数（規定数２枚）でも遊技を実行可能な状況において第１規定数で遊技を実行すると、所定の遊技区間における差数に関する第１の情報（差数カウンタ）を更新可能とし、
所定の遊技区間であり、かつ第２遊技状態であって、第１規定数でも第２規定数でも遊技を実行可能な状況において第１規定数で遊技を実行すると、第２遊技状態の終了条件に関する第２の情報（ＡＴ遊技回数カウンタ）を更新可能とし、
所定の遊技区間であり、かつ第２遊技状態であって、第１規定数でも第２規定数でも遊技を実行可能な状況において第２規定数で遊技を実行すると、所定の遊技区間における差数に関する第１の情報を更新可能とし、
所定の遊技区間であり、かつ第２遊技状態であって、第１規定数でも第２規定数でも遊技を実行可能な状況において第２規定数で遊技を実行すると、第２遊技状態の終了条件に関する第２の情報を更新しないよう構成されている
ことを特徴とする。
【手続補正書】
【提出日】令和3年10月11日(2021.10.11)
【手続補正１】
【補正対象書類名】明細書
【補正対象項目名】０００２
【補正方法】変更
【補正の内容】
【０００２】
当りとなる確率を複数設定可能な遊技機がある。
【手続補正２】
【補正対象書類名】明細書
【補正対象項目名】０００４
【補正方法】変更
【補正の内容】
【０００４】
ところで、当りとなる確率の設定に関連した演出について興趣が十分でなかった。
【手続補正３】
【補正対象書類名】明細書
【補正対象項目名】０００５
【補正方法】変更
【補正の内容】
【０００５】
１つの側面では、本発明は、当りとなる確率の設定に関連した演出について興趣を高めることを目的とする。
【手続補正４】
【補正対象書類名】明細書
【補正対象項目名】０００６
【補正方法】変更
【補正の内容】
【０００６】
上記目的を達成するために、以下に示すような、遊技機が提供される。遊技機は、ゲームを演出可能な演出手段と、遊技者が操作可能な操作手段と、前記操作手段を演出動作可能な演出手段と、前記ゲームの結果が遊技者にとって有利な有利状態を発生することとなる当りとなるか否かを判定する当否判定手段と、前記当否判定手段で当りと判定される複数種類の当り確率のうちから何れかを設定可能とする確率設定手段と、を備え、前記演出手段は、前記確率設定手段の設定内容に応じて、前記操作手段を演出動作させる確率が異なることを特徴とする。
【手続補正５】
【補正対象書類名】明細書
【補正対象項目名】０００７
【補正方法】変更
【補正の内容】
【０００７】
１態様によれば、当りとなる確率に関連した演出について興趣を高めることができる。
【手続補正６】
【補正対象書類名】特許請求の範囲
【補正対象項目名】全文
【補正方法】変更
【補正の内容】
【特許請求の範囲】
【請求項１】
ゲームを演出可能な演出手段と、
遊技者が操作可能な操作手段と、
前記ゲームの結果が遊技者にとって有利な有利状態を発生することとなる当りとなるか否かを判定する当否判定手段と、
前記当否判定手段で当りと判定される複数種類の当り確率のうちから何れかを設定可能とする確率設定手段と、を備え、
前記操作手段は、演出動作可能であり、
前記演出手段は、前記確率設定手段の設定内容に応じて、前記操作手段を演出動作させる確率が異なることを特徴とする遊技機。
【請求項２】
前記確率設定手段は、電源投入時に前記複数種類の当り確率のうちから何れかを設定可能及び電源投入時に前記設定内容を確認可能であることを特徴とする請求項１に記載の遊技機。
【手続補正書】
【提出日】令和3年4月5日(2021.4.5)
【手続補正１】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行するとともに、所定の払出条件の成立に基づき遊技媒体を払い出し可能な遊技機において、
遊技を統括的に制御する遊技制御手段と、
前記遊技制御手段から送信される情報に基づき制御を行う第１従制御手段と、第２従制御手段と、を備え、
前記第１従制御手段は、
演算処理を行う演算処理手段と、
受信した前記情報を格納する情報格納領域を有する情報記憶手段と、を備えることを特徴とする。
【手続補正２】
【補正対象書類名】特許請求の範囲
【補正対象項目名】全文
【補正方法】変更
【補正の内容】
【特許請求の範囲】
【請求項１】
所定条件の成立に基づきゲームを実行するとともに、所定の払出条件の成立に基づき遊技媒体を払い出し可能な遊技機において、
遊技を統括的に制御する遊技制御手段と、
前記遊技制御手段から送信される情報に基づき制御を行う第１従制御手段と、第２従制御手段と、を備え、
前記第１従制御手段は、
演算処理を行う演算処理手段と、
受信した前記情報を格納する情報格納領域を有する情報記憶手段と、を備えることを特徴とする遊技機。
【手続補正書】
【提出日】令和3年1月8日(2021.1.8)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００４
【補正方法】変更
【補正の内容】
【０００４】
本発明の目的は、開発の効率を高めることである。
【手続補正３】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行可能な遊技機において、
遊技に関する制御を行う制御手段を備え、
前記制御手段は、
当該制御手段が使用するプログラム及びデータを記憶した第１記憶手段と、
前記プログラムの作業領域を提供する第２記憶手段と、を備え、
前記第１記憶手段には、
第１プログラム及び第１データが記憶される第１記憶領域と、
第２プログラム及び第２データが記憶される第２記憶領域と、があることを特徴とする。
【手続補正４】
【補正対象書類名】特許請求の範囲
【補正対象項目名】全文
【補正方法】変更
【補正の内容】
【特許請求の範囲】
【請求項１】
所定条件の成立に基づきゲームを実行可能な遊技機において、
遊技に関する制御を行う制御手段を備え、
前記制御手段は、
当該制御手段が使用するプログラム及びデータを記憶した第１記憶手段と、
前記プログラムの作業領域を提供する第２記憶手段と、を備え、
前記第１記憶手段には、
第１プログラム及び第１データが記憶される第１記憶領域と、
第２プログラム及び第２データが記憶される第２記憶領域と、があることを特徴とする遊技機。
【手続補正書】
【提出日】令和3年10月5日(2021.10.5)
【手続補正１】
【補正対象書類名】明細書
【補正対象項目名】０００２
【補正方法】変更
【補正の内容】
【０００２】
当りとなる確率を複数設定可能な遊技機がある。
【手続補正２】
【補正対象書類名】明細書
【補正対象項目名】０００４
【補正方法】変更
【補正の内容】
【０００４】
ところで、当りとなる確率の設定に関連した演出について興趣が十分でなかった。
【手続補正３】
【補正対象書類名】明細書
【補正対象項目名】０００５
【補正方法】変更
【補正の内容】
【０００５】
本発明は、当りとなる確率の設定に関連した演出について興趣を高めることを目的とする。
【手続補正４】
【補正対象書類名】明細書
【補正対象項目名】０００６
【補正方法】変更
【補正の内容】
【０００６】
上記目的を達成するために、以下に示すような、遊技機が提供される。
ゲームを実行制御可能なゲーム制御手段と、
遊技者が操作可能な操作手段と、
前記操作手段を演出動作させる操作部演出制御手段と、
前記ゲームの結果が遊技者にとって有利な有利状態を発生することとなる当りとなるか否かを判定する当否判定手段と、
前記当否判定手段で当りと判定される当り確率を複数種類備え、複数種類の前記当り確率のうちから何れかを設定可能とする確率設定手段と、
前記操作手段の操作に基づいて、所定演出を実行可能とする演出実行手段と、を備え、
前記操作部演出制御手段は、前記確率設定手段の設定内容に応じて、前記操作手段を演出動作させる確率が異なる構成であることを特徴とする遊技機。
【手続補正５】
【補正対象書類名】明細書
【補正対象項目名】０００７
【補正方法】変更
【補正の内容】
【０００７】
本発明によれば、当りとなる確率に関連した演出について興趣を高めることができる。
【手続補正６】
【補正対象書類名】特許請求の範囲
【補正対象項目名】全文
【補正方法】変更
【補正の内容】
【特許請求の範囲】
【請求項１】
ゲームを実行制御可能なゲーム制御手段と、
遊技者が操作可能な操作手段と、
前記操作手段を演出動作させる操作部演出制御手段と、
前記ゲームの結果が遊技者にとって有利な有利状態を発生することとなる当りとなるか否かを判定する当否判定手段と、
前記当否判定手段で当りと判定される当り確率を複数種類備え、複数種類の前記当り確率のうちから何れかを設定可能とする確率設定手段と、
前記操作手段の操作に基づいて、所定演出を実行可能とする演出実行手段と、を備え、
前記操作部演出制御手段は、前記確率設定手段の設定内容に応じて、前記操作手段を演出動作させる確率が異なる構成であることを特徴とする遊技機。
【請求項２】
ゲームを実行制御可能なゲーム制御手段と、
遊技者が操作可能な操作手段と、
前記操作手段を演出動作させる操作部演出制御手段と、
前記ゲームの結果が遊技者にとって有利な有利状態を発生することとなる当りとなるか否かを判定する当否判定手段と、
前記当否判定手段で当りと判定される当り確率を複数種類備え、複数種類の前記当り確率のうちから何れかを設定可能とする確率設定手段と、
前記操作手段の操作に基づいて、遊技球を発射可能な遊技球発射手段と、を備え、
前記操作部演出制御手段は、前記確率設定手段の設定内容に応じて、前記操作手段を演出動作させる確率が異なる構成であることを特徴とする遊技機。
【請求項３】
遊技を行った結果に係る情報を記憶する記憶手段を備え、
前記記憶手段に記憶された前記情報に基づいて、特定演出の実行態様を変化可能であることを特徴とする請求項１また２に記載の遊技機。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
スタートスイッチと、
複数のストップスイッチと、
画像表示部と、
遊技の進行を制御する主遊技部と、
演出を制御する副遊技部と
を備え、
スタートスイッチが操作されてから所定時間が経過した後である第１のタイミングにおいては、画像表示部に回転しているリールの停止を促す所定の画像が表示されている場合を有しており、
スタートスイッチが操作され、当該スタートスイッチが操作されてから前記所定時間が経過した後であって、画像表示部に前記所定の画像が表示されている状況にて副遊技部に電気的に接続されている所定のスイッチが操作された場合には、当該所定の画像が非表示となるよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
スタートスイッチと、
複数のストップスイッチと、
画像表示部と、
遊技の進行を制御する主遊技部と、
演出を制御する副遊技部と
を備え、
スタートスイッチが操作されてから所定時間が経過した後である第１のタイミングにおいては、画像表示部に回転しているリールの停止を促す所定の画像が表示されている場合を有しており、
スタートスイッチが操作され、当該スタートスイッチが操作されてから前記所定時間が経過した後であって、画像表示部に前記所定の画像が表示されている状況にて副遊技部に電気的に接続されている所定のスイッチが操作された場合には、当該所定の画像が非表示となるよう構成されている
ことを特徴とする遊技機である。
＜付記＞
尚、本態様とは異なる別態様について以下に列記しておくが、これらには何ら限定されることなく実施することが可能である。
本別態様に係る遊技機は、
複数のリールと、
開閉可能な前扉と、
複数のストップスイッチと、
内部抽せん手段と、
リールを制御するリール制御手段と、
遊技の進行を制御する主遊技部と、
演出を表示可能な演出表示部と、
演出を制御する副遊技部と
を備え、
主遊技部は、
遊技の開始に係るリールが回転開始する第１のタイミングで、リール回転開始コマンドを副遊技部側に送信可能であり、
ストップスイッチの操作が受け付けられた第２のタイミングで、停止コマンドを副遊技部側に送信可能であり、
副遊技部は、
ストップスイッチの操作を促す停止示唆画像を演出表示部に表示可能であり、
前扉が閉鎖されており、前記リール回転開始コマンドを受信してから、前記停止コマンドを受信していない状況において所定時間が経過すると、停止示唆画像を表示可能に構成されており、
前扉が閉鎖されており、前記リール回転開始コマンドを受信してから、前記停止コマンドを受信していない状況において、前記リール回転開始コマンドの受信から前記所定時間の経過前に前扉が開放され、その後前記リール回転開始コマンドの受信から前記所定時間の経過前に前扉が閉鎖され、その後前記停止コマンドを受信していないまま前記リール回転開始コマンドの受信から前記所定時間が経過すると、停止示唆画像を表示可能に構成されており、
前扉が閉鎖されており、前記リール回転開始コマンドを受信してから、前記停止コマンドを受信していない状況において、前記リール回転開始コマンドの受信から前記所定時間の経過前にリールへの所定の回転不良が発生し、その後前記停止コマンドを受信していないまま前記リール回転開始コマンドの受信から前記所定時間が経過すると、停止示唆画像を表示可能に構成されている
ことを特徴とする遊技機である。
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
複数の識別表示を変動表示可能な可変表示手段と、複数の役の中から決定された当籤役に応じて前記可変表示手段を用いた遊技の進行を制御する遊技制御手段と、を備える遊技機であって、
遊技者に有益な特典を付与可能な特典付与手段と、
遊技の結果に応じて、遊技価値に関する数値情報を算出可能な数値算出手段と、
特定情報を表示可能な表示手段と、
当籤役に応じて、前記表示手段に表示する前記特定情報の種類を決定可能な特定情報決定手段と、
を備え、
前記特定情報には、第１の特定情報と第２の特定情報とが少なくとも含まれ、
前記特典付与手段は、前記特定情報決定手段により前記第１の特定情報が決定された場合と、前記第２の特定情報が決定された場合とを比べたときに、異なる期待度で特典を付与し、
前記数値情報に応じて、特定役が当籤役として決定されたときに特定情報決定手段により前記第２の特定情報が決定される確率が変化する
ことを特徴とする遊技機。
【手続補正２】
【補正対象書類名】明細書
【補正対象項目名】０００６
【補正方法】変更
【補正の内容】
【０００６】
このようなＡＴ機能を備える遊技機では、通常の状態から特定の遊技状態（ＡＴ）に移行させるまでの制御に様々な工夫がなされており、例えば、特定の遊技状態への移行確率を定めるモードを複数備え、現在のモード毎に移行期待度を異ならせる制御も知られている。しかしながら、このような制御は多くの遊技機において採用されており、単にモードを設けるだけでは遊技が単調になり、特典の付与に関して更なる改善が求められている。
【手続補正３】
【補正対象書類名】明細書
【補正対象項目名】０００７
【補正方法】変更
【補正の内容】
【０００７】
本発明はこのような問題に鑑みてなされたものであり、特典の付与に関して従来にない新たな制御が可能な遊技機を提供することを目的とする。
【手続補正４】
【補正対象書類名】明細書
【補正対象項目名】０００８
【補正方法】変更
【補正の内容】
【０００８】
本発明に係る遊技機は、複数の識別表示を変動表示可能な可変表示手段と、複数の役の中から決定された当籤役に応じて前記可変表示手段を用いた遊技の進行を制御する遊技制御手段と、を備える遊技機であって、遊技者に有益な特典を付与可能な特典付与手段と、遊技の結果に応じて、遊技価値に関する数値情報を算出可能な数値算出手段と、特定情報を表示可能な表示手段と、当籤役に応じて、前記表示手段に表示する前記特定情報の種類を決定可能な特定情報決定手段と、を備え、前記特定情報には、第１の特定情報と第２の特定情報とが少なくとも含まれ、前記特典付与手段は、前記特定情報決定手段により前記第１の特定情報が決定された場合と、前記第２の特定情報が決定された場合とを比べたときに、異なる期待度で特典を付与し、前記数値情報に応じて、特定役が当籤役として決定されたときに特定情報決定手段により前記第２の特定情報が決定される確率が変化することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明によれば、特典の付与に関して従来にない新たな制御が可能な遊技機を提供することができる。
【手続補正書】
【提出日】令和3年4月12日(2021.4.12)
【手続補正１】
【補正対象書類名】明細書
【補正対象項目名】０００４
【補正方法】変更
【補正の内容】
【０００４】
本発明の目的は、遊技の興趣の低下を抑制することである。
【手続補正２】
【補正対象書類名】明細書
【補正対象項目名】０００５
【補正方法】変更
【補正の内容】
【０００５】
以上の課題を解決するため、請求項１に記載の発明は、
音を出力可能な音出力手段と、前記音出力手段を制御する演出制御手段と、を備える遊技機において、
楽曲のデータと、案内音声のデータと、を記憶する記憶手段を備え、
前記楽曲のデータは、当該楽曲の伴奏音のデータと、当該楽曲の歌唱音声のデータと、に分けて前記記憶手段に記憶されており、
前記演出制御手段は、
前記音出力手段に音を出力するためのチャンネルを複数有し、チャンネルごとに異なるデータを再生することによって同時に出力可能であり、
前記楽曲の出力中は、前記伴奏音が割り当てられた第１のチャンネルにおいて当該楽曲の伴奏音のデータを再生するとともに、前記歌唱音声が割り当てられた第２のチャンネルにおいて当該楽曲の歌唱音声のデータを再生することを特徴とする。
【手続補正３】
【補正対象書類名】明細書
【補正対象項目名】０００６
【補正方法】変更
【補正の内容】
【０００６】
本発明によれば、遊技の興趣の低下を抑制することができる。
【手続補正４】
【補正対象書類名】特許請求の範囲
【補正対象項目名】全文
【補正方法】変更
【補正の内容】
【特許請求の範囲】
【請求項１】
音を出力可能な音出力手段と、前記音出力手段を制御する演出制御手段と、を備える遊技機において、
楽曲のデータと、案内音声のデータと、を記憶する記憶手段を備え、
前記楽曲のデータは、当該楽曲の伴奏音のデータと、当該楽曲の歌唱音声のデータと、に分けて前記記憶手段に記憶されており、
前記演出制御手段は、
前記音出力手段に音を出力するためのチャンネルを複数有し、チャンネルごとに異なるデータを再生することによって同時に出力可能であり、
前記楽曲の出力中は、前記伴奏音が割り当てられた第１のチャンネルにおいて当該楽曲の伴奏音のデータを再生するとともに、前記歌唱音声が割り当てられた第２のチャンネルにおいて当該楽曲の歌唱音声のデータを再生することを特徴とする遊技機。